(57)【要約】【課題】  切替え先の番組の映像の表示を柔軟に行うことを可能とする電子機器を提供する。【解決手段】  本体装置１側に設けられる無線部１９または表示装置２側に設けられる無線部２０は無線通信の実効転送レートを検出する。無線部１９または無線部２０が検出した実効転送レートは、無線部１９または無線部２０から本体装置１に設けられる制御部１７に送信される。制御部１７は実効転送レートの値を参照し、実効転送レートに応じて、第１のチューナ１１、第２のチューナ１４、第１のＭＰＥＧエンコーダ１３、第２のＭＰＥＧエンコーダ１６を制御する。【選択図】  図１
2005347808.tif 000002
【特許請求の範囲】
【請求項１】
第１のチャネルの放送データを受信する第１の受信部および少なくとも第２のチャネルを含むチャネル群の放送データを受信する第２の受信部を有する第１の装置と、
前記第１の装置内に設けられ、前記第１の受信部および前記第２の受信部を制御する制御部と、
前記第１の装置と無線通信可能な第２の装置と、
前記第２の装置内に設けられ、前記第２の受信部にて受信された前記第２のチャネルの放送データを記憶する記憶部と、
前記第２の装置に設けられ、前記第１のチャネルの放送データまたは前記第２のチャネルの放送データを表示する表示部と、
前記第１の受信部にて受信する放送データを第１のチャネルの放送データから第２のチャネルの放送データへと切替える要求を受信する受信手段と、
前記受信手段が前記切替え要求を受信した場合、前記記憶部に記憶されている前記第２の受信部にて受信された第２のチャネルの放送データを前記表示部に表示させるとともに、前記第１の受信部に前記第２のチャネルの放送データを前記制御部によって受信させる第２の制御部と、
前記受信手段が前記切替え要求を受信した場合、前記第１の装置と前記第２の装置との間で行われる無線通信の転送レートを測定する手段と、
前記制御部は、前記測定手段によって測定された転送レート値に基いて、前記第２の受信部を制御する手段を具備することを特徴とする電子機器。
【請求項２】
前記第２の装置内に設けられ、前記第１の受信部にて受信された第２のチャネルの放送データを記憶する第２の記憶部と、
前記第２の制御部は、前記第２の記憶部に前記第１の受信部にて受信された第２のチャネルの放送データが記憶された場合、前記記憶部に記憶されている前記第２の受信部にて受信された第２のチャネルの放送データを前記表示部に表示させるのを停止し、前記第２の記憶部に記憶された前記第１の受信部にて受信された第２のチャネルの放送データを前記表示部に表示させる手段を有することを特徴とする請求項１記載の電子機器。
【請求項３】
前記制御部は、前記第２の受信部にて受信される少なくとも第２のチャネルを含むチャネル群の中から指定されたチャネルの放送データを第２の受信部に受信させることを特徴とする請求項１記載の電子機器。
【請求項４】
前記制御部は、前記指定されたチャネルに応じて、前記第２の受信部にて受信される時間を変化させる手段を有することを特徴とする請求項３記載の電子機器。
【請求項５】
前記制御部は、前記測定手段によって測定された転送レート値に基いて、前記第１の受信部にて受信した放送データおよび前記第２の受信部にて受信した放送データの品質を変更させる手段を有することを特徴とする請求項１記載の電子機器。
【請求項６】
前記第１の受信部にて受信した放送データおよび前記第２の受信部にて受信した放送データをＭＰＥＧデータにエンコードするエンコード部と、
前記制御部は、前記測定手段によって測定された転送レート値に基いて、前記エンコード部によって生成されたＭＰＥＧデータの中からＩピクチャを選択することを特徴とする請求項１記載の電子機器。
【請求項７】
前記制御部は、前記第２の受信部に前記第１のチャネル以外の全てのチャネルの放送データを受信させることを特徴とする請求項１記載の電子機器。
【請求項８】
前記制御部は、前記第２の受信部に前記第１のチャネル以外の全てのチャネルを昇順、降順またはランダムに選択させることを特徴とする請求項７記載の電子機器。
【請求項９】
前記制御部は、前記第１の受信部が現在選択しているチャネルよりも前に選択していたチャネルを前記第２の受信部に選択させることを特徴とする請求項１記載の電子機器。
【請求項１０】
前記制御部は、前記第１の受信部が現在選択しているチャネルに隣接したチャネルを前記第２の受信部に選択させることを特徴とする請求項１記載の電子機器。
【請求項１１】
前記制御部は、過去に前記第１の受信部に選択させたチャネルの統計データに基いたチャネルを前記第２の受信部に選択させることを特徴とする請求項１記載の電子機器。
【請求項１２】
少なくとも第２のチャネルを含むチャネル群の放送データを受信する第３の受信部をさらに有し、
前記制御部は、前記第１の受信部が現在選択しているチャネルに隣接したチャネルを前記第３の受信部に固定的に選択させることを特徴とする請求項１記載の電子機器。
【請求項１３】
少なくとも第２のチャネルを含むチャネル群の放送データを受信する第３の受信部をさらに有し、
前記制御部は、前記第１の受信部が現在選択しているチャネルに隣接したチャネルを前記第３の受信部に固定的に選択させることを特徴とする請求項１記載の電子機器。
【請求項１４】
少なくとも第２のチャネルを含むチャネル群の放送データを受信する第３の受信部をさらに有し、
前記第１の受信部が現在選択しているチャネルよりも前に選択していたチャネルを前記第３の受信部に選択させることを特徴とする請求項１記載の電子機器。
【請求項１５】
少なくとも第２のチャネルを含むチャネル群の放送データを受信する第３の受信部をさらに有し、
前記制御部は、過去に前記第１の受信部に選択させたチャネルの統計データに基いたチャネルを前記第３の受信部に選択させることを特徴とする請求項１記載の電子機器。
【発明の詳細な説明】
【技術分野】
【０００１】
本発明は、放送番組のチャネル切替えを行うことが可能な電子機器に関し、特に、複数のチャネルから構成される放送信号を受信し、チャネルをユーザの操作によって切替えるチャネル切替えを行う電子機器に関する。
【背景技術】
【０００２】
従来、チャネルの切替え時における画像の乱れ等を表示装置に表示させないようにするために、記憶装置に予め記憶している複数枚の静止画をチャネル切替え時に出力し、切替え後のチャネルの信号を出力する際に静止画の出力を停止する技術があった。（特許文献１参照。）。
【特許文献１】特開２０００−４１１９７号公報（第３頁、第１図）
【発明の開示】
【発明が解決しようとする課題】
【０００３】
ところで、近年、表示装置とチューナを搭載した本体装置とが夫々別装置となったテレビが開発されている。本体装置から無線を介して表示装置に送信可能とするために、本体装置が受信した放送信号に対して、本体装置側にて適切な信号処理がなされる。
【０００４】
しかしながら、本体装置と表示装置との間で行われる無線通信の帯域幅は、例えば無線環境に応じて変化するので、常に所望の帯域幅を確保できるとは限らない。所望の帯域幅を確保できなかった場合、本体装置から表示装置に伝送されるデータ量が減少するので、適切な映像の表示を適切なタイミングをもって表示装置に行うことができなくなる可能性が生じる。
【０００５】
また、例えばユーザがテレビのリモコンを操作することで生成される番組切替え信号が表示装置に送信される場合、表示装置は番組切替え要求を本体装置に送信しなければならない。番組切替え要求を受信した本体装置はチューナを制御することで番組を切替え、切替えられた番組のデータを表示装置に送信する。従って、ユーザのリモコン操作によって番組切替え要求が出された後、ユーザが所望する切替え先の番組が表示装置に表示するまでタイムラグが生じる。
【０００６】
さらに、本体装置がアナログ放送信号を受信する場合、該受信したアナログ放送信号を例えばＭＰＥＧ形式といったデジタル信号にエンコードするのに要する時間、または本体装置が例えばＭＰＥＧ形式でエンコードされているデジタル信号を受信する場合においても、該受信した例えばＭＰＥＧ形式でエンコード済みのデジタル信号をデコードするための時間を要する。従って、ユーザがチャネル切替え要求をチューナに対して出した後、切替え要求の対象であるチャネルの番組が表示部に表示されるまでに時間を要する。
【０００７】
そこで、本発明は、切替え先の番組の映像の表示を柔軟に行うことを可能とする電子機器を提供することを目的とする。
【課題を解決するための手段】
【０００８】
上記目的を達成するために、請求項１に係る発明では、第１のチャネルの放送データを受信する第１の受信部および少なくとも第２のチャネルを含むチャネル群の放送データを受信する第２の受信部を有する第１の装置と、第１の装置内に設けられ、第１の受信部および第２の受信部を制御する制御部と、第１の装置と無線通信可能な第２の装置と、第２の装置内に設けられ、第２の受信部にて受信された第２のチャネルの放送データを記憶する記憶部と、第２の装置に設けられ、第１のチャネルの放送データまたは第２のチャネルの放送データを表示する表示部と、第１の受信部にて受信する放送データを第１のチャネルの放送データから第２のチャネルの放送データへと切替える要求を受信する受信手段と、受信手段が切替え要求を受信した場合、記憶部に記憶されている第２のチャネルの放送データを表示部に表示させるとともに、第１の受信部に第２のチャネルの放送データを制御部によって受信させる第２の制御部と、受信手段が切替え要求を受信した場合、第１の装置と第２の装置との間で行われる無線通信の転送レートを測定する手段と、制御部は測定手段によって測定された転送レート値に基いて、第２の受信部を制御する手段を具備することを特徴とする。
【発明の効果】
【０００９】
本発明によれば、切替え先の番組の映像の表示を柔軟に行うことを可能とする電子機器を提供することが可能である。
【発明を実施するための最良の形態】
【００１０】
以下本発明に係る実施の形態を、図面を参照して説明する。
【００１１】
まず、図１を参照して、本発明に係る電子機器のシステム構成について説明する。この電子機器は、例えば、受信部であるチューナを搭載する本体装置１と映像を表示する表示装置２とが夫々別装置となったテレビとして実現されている。
【００１２】
本体装置１に設けられるアンテナ１０に第１のチューナ１１と第２のチューナ１４とが接続される。アンテナ１０にて受信された放送信号は夫々第１のチューナ１１と第２のチューナ１４とに供給される。
【００１３】
第１のチューナ１１および第２のチューナ１４は、例えばリモコンユニットから受信要求されたチャネルの放送信号に係る周波数を選択し、復調処理を行った後、映像信号と音声信号とに分離するデバイスである。第１のチューナ１１および第２のチューナ１４にて行われるチャネル選択制御については、後述をもって説明する。
【００１４】
第１のチューナ１１および第２のチューナ１４にて生成された映像信号は、第１のチューナ１１および第２のチューナ１４に夫々接続される第１のＮＴＳＣデコーダ１２および第２のＮＴＳＣデコーダ１５に供給され、ＮＴＳＣ規格に準じた映像信号（ＮＴＳＣ信号）からデジタル信号に変換する。
【００１５】
第１のＮＴＳＣデコーダ１２および第２のＮＴＳＣデコーダ１５にて生成されたデジタル信号は、第１のＮＴＳＣデコーダ１２および第２のＮＴＳＣデコーダ１５に夫々接続される第１のＭＰＥＧエンコーダ１３および第２のＭＰＥＧエンコーダ１６に供給される。
【００１６】
第１のＭＰＥＧエンコーダ１３および第２のＭＰＥＧエンコーダ１６は、第１のＮＴＳＣデコーダ１２および第２のＮＴＳＣデコーダ１５にて生成されたデジタル信号をＭＰＥＧ方式に従って符号圧縮化を行うことで、ストリームデータを生成する。
【００１７】
第１のＭＰＥＧエンコーダ１３および第２のＭＰＥＧエンコーダ１６に接続されている制御部１７は、本体装置１のシステムの構成要素であるデバイスの制御を行う。
【００１８】
第１のＭＰＥＧエンコーダ１３および第２のＭＰＥＧエンコーダ１６の夫々にて生成されたストリームデータは制御部１７を介してメモリ１８に供給される。制御部１７は、メモリ１８に第１のバッファ１８ａおよび第２のバッファ１８ｂを確保する。
【００１９】
制御部１７は、第１のＭＰＥＧエンコーダ１３にて生成されたストリームデータを第１のバッファ１８ａに記憶させ、第２のＭＰＥＧエンコーダ１６にて生成されたストリームデータを第２のバッファ１８ｂに記憶させる。
【００２０】
制御部１７は第１のバッファ１８ａおよび第２のバッファ１８ｂに記憶されている夫々のストリームデータを、無線部１９に送信する。
【００２１】
無線部１９は制御部１７から送信されるストリームデータを用いて、例えばＩＥＥＥ８０２．１１ａやＩＥＥＥ８０２．１１ｇといった所定の無線ＬＡＮ方式のパケットを生成し、アンテナ１９ａを介して表示装置２へ送信する。
【００２２】
第２の表示装置２に設けられるアンテナ２０ａは、本体装置１に設けられるアンテナ１９ａから送信される電波を受信し、無線部２０に供給する。
【００２３】
無線部２０は、本体装置１に設けられる無線部１９から送信されてきた所定の無線ＬＡＮ方式のパケットを用いてＭＰＥＧ形式でエンコードされているストリームデータを生成する。
【００２４】
無線部２０は制御部２１と接続されており、制御部２１は表示装置２のシステムの構成要素であるデバイスの制御を行う。
【００２５】
無線部２０にて生成されたストリームデータは制御部２１を介して、ＭＰＥＧデコーダ２３に供給される。ＭＰＥＧデコーダ２３は、ＭＰＥＧ方式に従って符号圧縮化されたストリームデータからデジタル映像信号を生成する。
【００２６】
ＭＰＥＧデコーダ２３にて生成されたデジタル映像信号は制御部２１を介して、制御部２１に接続されるメモリ２２に供給される。
【００２７】
制御部２１は、メモリ２２に第１のバッファ２２ａおよび第２のバッファ２２ｂを確保する。
【００２８】
制御部２１は、本体装置１に設けられる第１のＭＰＥＧエンコーダ１３にて生成されたストリームデータをデコードすることで生成したデジタル映像信号を第１のバッファ２２ａに記憶させ、第２のＭＰＥＧエンコーダ１６にて生成されたストリームデータをデコードすることで生成したデジタル映像信号を第２のバッファ２２ｂに記憶させる。
【００２９】
制御部２１にはリモコン制御部２５および表示部２４と接続されている。リモコン制御部２５は例えばユーザによって操作されるリモコンから送信される番組チャネル切替え信号を受信する。リモコン操作に限定する必要は無く、ユーザが直接、本体装置１、表示装置２に設けられているスイッチ等を操作してもよい。リモコン制御部２５は受信した番組チャネル切替え信号に基づいて、制御部２１に番組チャネル切替え制御信号を送信する。
【００３０】
制御部２１はリモコン制御部２５から供給された番組チャネル切替え制御信号に基づいて、第１のバッファ２２ａまたは第２のバッファ２２ｂに記憶されているデジタル映像信号を表示部２４に供給する。表示部２４には、制御部２１によって供給されたデジタル映像信号に基づいて生成された表示内容が表示される。
【００３１】
制御部２１はリモコン制御部２５から供給された番組チャネル切替え制御信号に基づいて、本体装置１に設けられるチューナにて行われるチャネル切替えのための制御信号を生成する。このチャネル切替え制御信号は、無線部２０および無線部１９を介して本体装置１に設けられる制御部１７に送信される。制御部１７は、表示装置２から送信されるチャネル切替え制御信号に基づいて、第１のチューナ１１および第２のチューナ１４にて行われる番組チャネルの切替え制御を行う。次に、第１のチューナ１１および第２のチューナ１４にて行われるチャネル選択制御について説明する。
【００３２】
図２および図３は、第１のチューナ１１および第２のチューナ１４にて行われるチャネル選択制御について説明する第１のフローチャートおよび第２のフローチャートである。
【００３３】
ユーザのリモコン操作によってユーザが視聴したい番組が選択されると（ステップ  Ｓ１０１）、第１のチューナ１１は制御部１７から送信されるチャネル切替え制御信号に基づいて、現在、ユーザが視聴している番組の放送信号に係る周波数を選択する（ステップ  Ｓ１０２）。
【００３４】
一方、第２のチューナ１４は制御部１７から送信されるチャネル切替え制御信号に基づいて、現在、ユーザが視聴していない番組群の放送信号に係る周波数を選択する（ステップ  Ｓ１０３）。第２のチューナ１４が、現在、ユーザが視聴していない番組群を選択する方法として、ユーザが視聴している番組以外の番組群のチャネルを降順、昇順、ランダムに取得する方法が考えられる。
【００３５】
第１のチューナ１１にて選択された番組の放送信号は、図２を用いて説明したとおり、本体装置１および表示装置２にて適切に処理がなされた後、表示装置２に設けられる第１のバッファ２２ａに記憶され（ステップ  Ｓ１０４）、さらに表示部２４に表示される（ステップ  Ｓ１０５）。なお、所定の時間に亘って、同一番組が表示部２４に表示される場合は、第１のバッファ２２ａに記憶されずに、ＭＰＥＧデコーダ２３でデコード処理した後、制御部２１が直接、表示部２４に出力してもよい。
【００３６】
一方、第２のチューナ１４にて選択された番組の放送信号も、図２を用いて説明したとおり、本体装置１および表示装置２にて適切に処理がなされた後、表示装置２に設けられる第２のバッファ２２ｂに記憶される（ステップ  Ｓ１０６）。
【００３７】
ユーザが現在、視聴している番組から別番組に切り替え要求を出すと（ステップ  Ｓ１０７  Ｙｅｓ）、制御部２１はチャネル切替え制御信号を本体装置１側に送信するとともに（ステップ  Ｓ１０８  Ｎｏ）（ステップ  Ｓ１１１）、メモリ２２に設けられる第２のバッファ２２ｂに予め記憶されているデジタル映像信号の中で、ユーザが切替え要求を出した別番組に係るデジタル映像信号を選択する（ステップ  Ｓ１０８  Ｙｅｓ）（ステップ  Ｓ１０９）。
【００３８】
制御部２１は第２のバッファ２２ｂから供給される切替え先の別番組に係るデジタル映像信号から表示信号を生成し、該表示信号を表示部２４に表示する（ステップ  Ｓ１１０）。ここで、制御部２１は第２のバッファ２２ｂから供給される切替え先の番組に係るデジタル映像信号から表示信号を生成し、該表示信号を表示部２４に静止画として表示させてもよい。また、静止画に限定する必要が無く、短時間の動画、画質を低下させた動画、単位時間当たりのフレーム数を減らした動画であってもよい。
【００３９】
一方、チャネル切替え制御信号を受信した制御部１７は、第１のチューナ１１に切替え先の番組の放送信号を選択させる（ステップ  Ｓ１１２）。第１のチューナ１１にて選択される切替え先の番組の放送信号は、本体装置１および表示装置２にて適切な処理がなされ（ステップ  Ｓ１１３）、表示部２４に出力可能な状態となると（ステップ  Ｓ１１４  Ｙｅｓ）、制御部１７は、予め、第２のバッファ２２ｂに記憶されている別番組に係るデジタル映像信号に基づいて生成された表示信号を表示部２４に表示するのを停止する（ステップ  Ｓ１１５）。停止後、ユーザの現在の番組から別番組への切替え要求に応じて切替えられた別番組に係る表示信号が表示部２４に表示開始される（ステップ  Ｓ１１６）。
【００４０】
ユーザによる別番組切替え要求が出されると、別番組切替え要求に応じて第１のチューナ１１で選択される別番組の放送信号が表示部２４に出力開始されるまでの間、予め第２のバッファ２２ｂに記憶されている別番組に係るデジタル映像信号に基づいて生成される表示信号を表示部２４に表示させるので、ユーザは現在視聴している番組から別番組に切替わるまでの間、予め取り込んでいた別番組の映像を視聴することが可能となる。次に、本体装置１と表示装置２との間にて行われる無線通信の環境に応じて行われる制御について説明する。
【００４１】
図４は、本体装置と表示装置との間で行われる無線通信の環境に応じた本体装置１および表示装置２にて行われる制御内容を示すテーブルである。図５は、第２のチューナ１４にて選択されるチャネル群に係る放送信号の夫々の取得時間を示す図である。
【００４２】
本体装置１側に設けられる無線部１９または表示装置２側に設けられる無線部２０は無線通信状況を検出する。無線通信状況検出内容として例えば無線部１９および無線部２０間のアンテナを介した無線通信の実効転送レートが考えられる。
【００４３】
無線部１９または無線部２０が検出した実効転送レートは、無線部１９または無線部２０から本体装置１に設けられる制御部１７に送信される。
【００４４】
制御部１７は実効転送レートの値を参照し、Ａ（Ｍｂｐｓ）以上の値である場合、第１のモードであると判断する。制御部１７は第１のモードと判断した場合、第１のチューナ１１、第２のチューナ１４、第１のＭＰＥＧエンコーダ１３および第２のＭＰＥＧエンコーダ１６を制御する。
【００４５】
第１のモードにおいて、制御部１７は無線部１９および無線部２０間のアンテナを介した無線通信の実効転送レートが以下に説明する制御を行うのに十分であると判断する。
【００４６】
制御部１７の制御内容とは、第１のチューナ１１にて現在視聴中の番組を選択し、第２のチューナ１４にて現在視聴中の番組以外の番組を選択する。つまり、第１のチューナ１１および第２のチューナ１４を用いて、全ての番組を選択する。さらに、例えば第１のＭＰＥＧエンコーダ１３および第２のＭＰＥＧエンコーダ１６にて高画質なＨＤ（Ｈｉｇｈ  Ｄｅｆｉｎｉｔｉｏｎ）の画質を有するエンコード処理を行うといった内容である。
【００４７】
また、制御部１７は実効転送レートの値を参照し、Ａ（Ｍｂｐｓ）未満Ｂ（Ｍｂｐｓ）以上である場合、第２のモードであると判断する。制御部１７は第２のモードと判断した場合、第１のチューナ１１、第２のチューナ１４、第１のＭＰＥＧエンコーダ１３および第２のＭＰＥＧエンコーダ１６とを制御する。
【００４８】
第２のモードにおいて制御部１７は無線部１９および無線部２０間のアンテナを介した無線通信の実効転送レートが以下に説明する制御を行うのに十分であると判断する。
【００４９】
制御部１７の制御内容とは、例えば、第１のチューナ１１にて現在視聴中の番組を選択し、第２のチューナ１４にて現在視聴中の番組以外の番組を選択する。つまり、第１のチューナ１１および第２のチューナ１４を用いて、全ての番組を選択する。さらに、第１のＭＰＥＧエンコーダ１３および第２のＭＰＥＧエンコーダ１６にてＨＤよりも低画質なＳＤ（Ｓｔａｎｄａｒｄ  Ｄｅｆｉｎｉｔｉｏｎ）の画質を有するエンコード処理を行うといった内容である。
【００５０】
また、制御部１７は実効転送レートを参照し、Ｂ（Ｍｂｐｓ）未満Ｃ（Ｍｂｐｓ）以上である場合、第３のモードであると判断する。制御部１７は第１のチューナ１１、第２のチューナ１４、第１のＭＰＥＧエンコーダ１３および第２のＭＰＥＧエンコーダ１６を制御する。
【００５１】
第３のモードにおいて制御部１７は無線部１９および無線部２０間のアンテナを介した無線通信の実効転送レート値が以下に説明する制御を行うのに十分であると判断する。
【００５２】
制御部１７の制御内容とは、例えば、第１のチューナ１１にて現在視聴中の番組を選択し、第２のチューナ１４にて現在視聴中の番組以外の番組の中から指定の番組を選択する。さらに、第１のＭＰＥＧエンコーダ１３および第２のＭＰＥＧエンコーダ１６にてＳＤ（Ｓｔａｎｄａｒｄ  Ｄｅｆｉｎｉｔｉｏｎ）の画質を有するエンコード処理を行うといった内容である。第２のチューナ１４にて、現在視聴中の番組以外の番組群の中から指定の番組を選択する方法については、後述にて詳細に説明する。
【００５３】
また、制御部１７は実効転送レートを参照し、Ｃ（Ｍｂｐｓ）未満Ｄ（Ｍｂｐｓ）以上である場合、第４のモードであると判断する。制御部１７は第１のチューナ１１、第２のチューナ１４、第１のＭＰＥＧエンコーダ１３および第２のＭＰＥＧエンコーダ１６を制御する。
【００５４】
第４のモードにおいて制御部１７は無線部１９および無線部２０間のアンテナを介した無線通信の実効転送レート値が以下に説明する制御を行うのに十分であると判断する。
【００５５】
制御部１７の制御内容とは、例えば、第１のチューナ１１にて現在視聴中の番組を選択し、第２のチューナ１４にて現在視聴中の番組以外の番組の中から指定の番組を選択する。さらに、第１のＭＰＥＧエンコーダ１３および第２のＭＰＥＧエンコーダ１６にてＳＤ（Ｓｔａｎｄａｒｄ  Ｄｅｆｉｎｉｔｉｏｎ）の画質を有するエンコード処理を行うといった内容である。
【００５６】
第２のチューナ１４にて現在視聴中の番組以外の番組群の中から選択された指定の番組群に係る放送信号を取込む時間について図５を用いて説明する。
【００５７】
第２のチューナ１４は２ｃｈ、４ｃｈ、５ｃｈおよび８ｃｈの夫々に係る放送信号を時系列に取込む。つまり図５に示すとおり、時間ｔ１において２ｃｈに係る放送信号を取込み、その後、時間ｔ２において４ｃｈに係る放送信号を取込み、その後、時間ｔ３において５ｃｈに係る放送信号を取込み、その後、時間ｔ４において８ｃｈに係る放送信号を取込む。
【００５８】
第２のチューナ１４は、２ｃｈ、４ｃｈ、５ｃｈおよび８ｃｈの夫々に係る放送信号を時系列に取込む際、夫々のチャネルに係る放送信号を同時間分、取得するのではなく、例えば８ｃｈに係る放送信号を取込む時間ｔ４を他のチャネルに係る放送信号を取込む時間（ｔ１、ｔ２、ｔ３）よりも長くする。
【００５９】
また、制御部１７は実効転送レートを参照し、Ｄ（Ｍｂｐｓ）未満Ｅ（Ｍｂｐｓ）以上である場合、第５のモードであると判断する。制御部１７は第１のチューナ１１、第２のチューナ１４、第１のＭＰＥＧエンコーダ１３および第２のＭＰＥＧエンコーダ１６を制御する。
【００６０】
第５のモードにおいて制御部１７は無線部１９および無線部２０間のアンテナを介した無線通信の実効転送レート値が以下に説明する制御を行うのに十分であると判断する。
【００６１】
制御部１７の制御内容とは、例えば、第１のチューナ１１にて現在視聴中の番組を選択し、第２のチューナ１４にて現在視聴中の番組以外の番組の中から指定の番組を選択する。さらに、第１のＭＰＥＧエンコーダ１３および第２のＭＰＥＧエンコーダ１６にてＳＤ（Ｓｔａｎｄａｒｄ  Ｄｅｆｉｎｉｔｉｏｎ）の画質を有するエンコード処理を行うといった内容である。
【００６２】
第５のモードにおいては、第２のチューナ１４にて現在視聴中の番組以外の番組群の中から選択された指定の番組群に係る放送信号を第２のＭＰＥＧエンコーダ１６にてＭＰＥＧ形式にエンコードした後、１フレームについて全ての情報を有するＩピクチャだけを抽出する。
【００６３】
ＭＰＥＧ形式にエンコードした後、Ｉピクチャ、Ｐピクチャ、Ｂピクチャの３種類のうちＩピクチャだけを抽出することで、本体装置１から表示装置２へ伝送するデータ量を低減することが可能となる。
【００６４】
ここで、第３乃至第５のモードにおいて、第２のチューナ１４を用いて現在視聴中の番組以外の番組群の中から指定の番組を選択する方法として以下に説明する方法が考えられる。
【００６５】
（１）ユーザのリモコン操作において、チャネル切替え順送りボタンを押す可能性を考慮して、現在、視聴中の番組のチャネルに隣接したチャネルを選択。（２）ユーザのリモコン操作において、チャネルリピートボタンを押す可能性を考慮して、現在、視聴している番組の直前に視聴していた番組のチャネルを選択。
【００６６】
（３）予め記憶しておく視聴頻度（例えば、番組視聴時間や番組視聴回数等）に基づいて、視聴頻度の高い番組のチャネルを優先的に選択。ここで、視聴頻度は、制御部１７が第１のチューナ１１および第２のチューナ１４のチャネル制御した内容の履歴に基いて視聴頻度を算出する、といった方法が考えられる。例えば、制御部１７が第１のチューナ１１のチャネルを３ｃｈに選択した回数が多いならば、制御部１７は第２のチューナ１４にて選択するチャネル群の中の一つのチャネルとして３ｃｈを選択する、といった具合である。
【００６７】
これらの方法を用いることで、切替え先の番組となる可能性の高い番組を、第２のチューナ１４にて現在視聴中の番組以外の番組群の中から番組を選択することが可能となる。
【００６８】
上述したとおり、第２のチューナ１４を用いて、現在視聴中の番組以外の番組群の全てを選択するのでは無く、現在視聴中の番組以外の番組群の中から指定した番組を選択することで、本体装置１から表示装置２に対して無線を介して送信されるデータ量を低減させることが可能となり、さらに、所望する無線環境が得られなくとも、現在視聴中の番組からの切替え先の番組のデータを表示装置２内の第２のバッファ２２ｂに確保することが可能となる。
【００６９】
なお、図４を用いて説明した第１のモード乃至第５のモードの夫々にて行われる第２のチューナ１４および第２のＭＰＥＧエンコーダ１６の制御方法は組み合わせてもよい。例えば、第２のモードと第５のモードとを組み合わせて、第２のチューナ１４にて現在視聴中の番組以外の番組群に係る放送信号を選択し、これらの選択された放送信号を第２のＭＰＥＧエンコーダ１６によってＭＰＥＧ形式にエンコードした後、Ｉピクチャだけを抽出してもよい。
【００７０】
また、本実施形態においては、アナログチューナを搭載した本体装置１を例に説明をしたが、図６に示すとおり、デジタルチューナを搭載した本体装置３であってもよい。この場合、本体装置３側で例えばＭＰＥＧ形式にエンコードを行う必要が無い。
【００７１】
さらに、本実施形態においては、２つのアナログチューナを搭載した本体装置１を例に説明したが、チューナの数は３つ以上であってもよい。この場合、第１のチューナに現在視聴中の番組を選択させ、第１のチューナ以外のチューナには、
（１）．現在視聴中の番組以外の全ての番組のチャネル群を降順、昇順またはランダムに選択。
【００７２】
（２）．現在視聴中の番組のチャネルに隣接するチャネルを優先的に選択、または、現在、視聴している番組の直前に視聴していた番組のチャネルを優先的に選択。
【００７３】
（３）．（２）で説明した優先的に選択するチャネルを固定して選択。させる方法が考えられる。
【００７４】
なお、第１のチューナ以外のチューナが優先的に選択するチャネルを固定して選択することで、優先的に選択するチャネルのデータが常に第１のチューナ以外のチューナによって取得される。この取得されたデータが本体装置１および表示装置２にて適切に処理された後、第２のバッファ２２ｂに記憶させておくことで、切替え先の番組となる可能性の高い番組のデータを長時間に亘って確保することが可能となる。
【００７５】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００７６】
【図１】本発明に係る電子機器のシステム構成について説明する図。
【図２】第１のチューナおよび第２のチューナにて行われるチャネル選択制御について説明する第１のフローチャート。
【図３】第１のチューナおよび第２のチューナにて行われるチャネル選択制御について説明する第２のフローチャート。
【図４】本体装置と表示装置との間で行われる無線通信の環境に応じた本体装置および表示装置にて行われる制御内容を示すテーブル。
【図５】第２のチューナにて選択されるチャネル群に係る放送信号の夫々の取得時間を示す図。
【図６】本発明に係る電子機器のシステム構成について説明する第２の図。
【符号の説明】
【００７７】
１…本体装置、２…表示装置、１１…第１のチューナ、
１３…第１のＭＰＥＧエンコーダ、１４…第２のチューナ、
１６…第２のＭＰＥＧエンコーダ、２３…ＭＰＥＧデコーダ
【図１】
2005347808.tif 000003
【図２】
2005347808.tif 000004
【図３】
2005347808.tif 000005
【図４】
2005347808.tif 000006
【図５】
2005347808.tif 000007
【図６】
2005347808.tif 000008